(57)【要約】【課題】  自動二輪車の車高調整装置において、車高を任意の中間位置に保持でき、かつ車高を瞬時に切換えできるようにすること。【解決手段】  自動二輪車１の車高調整装置４０において、車高を検出する車高検出手段８０と、油圧ジャッキ４１のジャッキ室４２と、ダンパチューブ１１内の油室２５Ａ、２５Ｂに連通する油溜室２６とを切換接続する切換弁６０と、車高検出手段８０の検出結果によって切換弁６０を切換制御し、車高を任意の位置に保持する制御手段７０とを有してなるもの。【選択図】  図８
2014058260.tif 000002
【特許請求の範囲】
【請求項１】
車体側と車軸側の一方に設けられるダンパチューブと、
車体側と車軸側の他方に設けられ、ダンパチューブ内の油室を摺動して該ダンパチューブに対して伸縮するピストンロッドと、
ダンパチューブとピストンロッドの一方側に設けられる油圧ジャッキと、
油圧ジャッキのジャッキ室に挿入されたプランジャに支持されるばね受と、
ダンパチューブとピストンロッドの他方側に設けられるばね受との間に介装される懸架スプリングと、
ダンパチューブに対するピストンロッドの伸縮動によりポンピング動作して作動油を吐出し、この作動油を油圧ジャッキのジャッキ室に供給する油圧ポンプとを有し、
ダンパチューブに対するピストンロッドの伸縮動により車高を調整する自動二輪車の車高調整装置において、
車高を検出する車高検出手段と、
油圧ジャッキのジャッキ室と、ダンパチューブ内の油室に連通する油溜室とを切換接続する切換弁と、
車高検出手段の検出結果によって切換弁を切換制御し、車高を任意の位置に保持する制御手段とを有してなることを特徴とする自動二輪車の車高調整装置。
【請求項２】
前記油圧ポンプが吐出する油を油溜室にリリーフするリリーフ弁を有し、このリリーフ弁を前記車高検出手段の検出結果によって制御することにより車高の任意の位置に保持する請求項１に記載の自動二輪車の車高調整装置。
【請求項３】
前記切換弁が４ポート３位置電磁弁からなり、油圧ポンプから吐出される作動油により開弁する吐出用チェック弁及び油圧ポンプに吸込まれる作動油により開弁する吸込用チェック弁を備える車高上げポジションと、油圧ポンプを油溜室に連通する通路及び油圧ジャッキのジャッキ室を油溜室に連通する通路を備える車高下げポジションと、油圧ポンプを油溜室に連通する通路及び油圧ジャッキのジャッキ室を油溜室に対して遮断する通路を備える車高保持ポジションの３位置のいずれかに選択的に切換制御される請求項１に記載の自動二輪車の車高調整装置。
【請求項４】
前記油圧ジャッキのジャッキ室の中間高さ位置に設けた中間ポートを油溜室に連通するサブ切換弁を有し、このサブ切換弁を前記車高検出手段の検出結果によって制御することにより車高の調整可能端を上記中間高さ位置に定める請求項１に記載の自動二輪車の車高調整装置。
【請求項５】
前記車高検出手段が、油圧ジャッキにおけるプランジャの突出高さ検出手段である請求項１〜４のいずれかに記載の自動二輪車の車高調整装置。
【請求項６】
前記車高検出手段が、油圧ジャッキにおけるジャッキ室の油圧検出手段である請求項１〜４のいずれかに記載の自動二輪車の車高調整装置。
【請求項７】
前記車高検出手段が、ダンパチューブに対するピストンロッドの伸縮ストローク長検出手段である請求項１〜４のいずれかに記載の自動二輪車の車高調整装置。
【請求項８】
請求項１〜７のいずれかに記載の自動二輪車の車高調整装置において、車高の状態や、制御状態、車体の情報などを表示する表示装置を設け、ライダーに現在の状態を表示すると共に、表示部に車高の調整部を設け、任意位置に車高を調整できるようにした自動二輪車の車高調整装置。
【請求項９】
自動車高調整及びマニュアル車高調整を選択可能とした、請求項８に記載の自動二輪車の車高調整装置。
【発明の詳細な説明】
【技術分野】
【０００１】
本発明は自動二輪車の車高調整装置に関する。
【背景技術】
【０００２】
自動二輪車の車高調整装置として、特許文献１に記載の如く、油圧減衰器を利用した車両の車高調整装置に関するものであり、停車中は車高を下げ、走行中は車高を高くするための車高２段階調整装置について、油圧減衰器の伸縮動作を利用して油圧減衰器を伸長させて車高を高くし、また任意に車高を低い位置に変更することができるようにしたものである。
【０００３】
具体的には、油圧減衰器のポンピング動作による吐出油を利用して、手元操作、或いは自動操作によって調整弁を車高を高くする位置、車高を低くする位置のいずれかに選択することによって、車高を所定の高さ、或いは所定の低さに任意に切換えるものとしている。
【先行技術文献】
【特許文献】
【０００４】
【特許文献１】特公平8-22680
【発明の概要】
【発明が解決しようとする課題】
【０００５】
特許文献１に記載の自動二輪車の車高調整装置には以下の問題点がある。
(1)車高を高い位置と低い位置の２段階に調整するものであり、それらの高い位置と低い位置の間の任意の位置（中間高さ位置）に保持することができない。
【０００６】
本発明の課題は、自動二輪車の車高調整装置において、車高を任意の中間位置に保持でき、かつ切換弁を効率よく制御できるようにすることにある。
【課題を解決するための手段】
【０００７】
請求項１に係る発明は、車体側と車軸側の一方に設けられるダンパチューブと、車体側と車軸側の他方に設けられ、ダンパチューブ内の油室を摺動して該ダンパチューブに対して伸縮するピストンロッドと、ダンパチューブとピストンロッドの一方側に設けられる油圧ジャッキと、油圧ジャッキのジャッキ室に挿入されたプランジャに支持されるばね受と、ダンパチューブとピストンロッドの他方側に設けられるばね受との間に介装される懸架スプリングと、ダンパチューブに対するピストンロッドの伸縮動によりポンピング動作して作動油を吐出し、この作動油を油圧ジャッキのジャッキ室に供給する油圧ポンプとを有し、ダンパチューブに対するピストンロッドの伸縮動により車高を調整する自動二輪車の車高調整装置において、車高を検出する車高検出手段と、油圧ジャッキのジャッキ室と、ダンパチューブ内の油室に連通する油溜室とを切換接続する切換弁と、車高検出手段の検出結果によって切換弁を切換制御し、車高を任意の位置に保持する制御手段とを有してなるようにしたものである。
【０００８】
請求項２に係る発明は、請求項１に係る発明において更に、前記油圧ポンプが吐出する油を油溜室にリリーフするリリーフ弁を有し、このリリーフ弁を前記車高検出手段の検出結果によって制御することにより車高の任意の位置に保持するようにしたものである。
【０００９】
請求項３に係る発明は、請求項１に係る発明において更に、前記切換弁が４ポート３位置電磁弁からなり、油圧ポンプから吐出される作動油により開弁する吐出用チェック弁及び油圧ポンプに吸込まれる作動油により開弁する吸込用チェック弁を備える車高上げポジションと、油圧ポンプを油溜室に連通する通路及び油圧ジャッキのジャッキ室を油溜室に連通する通路を備える車高下げポジションと、油圧ポンプを油溜室に連通する通路及び油圧ジャッキのジャッキ室を油溜室に対して遮断する通路を備える車高保持ポジションの３位置のいずれかに選択的に切換制御されるようにしたものである。
【００１０】
請求項４に係る発明は、請求項１に係る発明において更に、前記油圧ジャッキのジャッキ室の中間高さ位置に設けた中間ポートを油溜室に連通するサブ切換弁を有し、このサブ切換弁を前記車高検出手段の検出結果によって制御することにより車高の調整可能端を上記中間高さ位置に定めるようにしたものである。
【００１１】
請求項５に係る発明は、請求項１〜４のいずれかに係る発明において更に、前記車高検出手段が、油圧ジャッキにおけるプランジャの突出高さ検出手段であるようにしたものである。
【００１２】
請求項６に係る発明は、請求項１〜４のいずれかに係る発明において更に、前記車高検出手段が、油圧ジャッキにおけるジャッキ室の油圧検出手段であるようにしたものである。
【００１３】
請求項７に係る発明は、請求項１〜４のいずれかに係る発明において更に、前記車高検出手段が、ダンパチューブに対するピストンロッドの伸縮ストローク長検出手段であるようにしたものである。
【００１４】
請求項８に係る発明は、請求項１〜７のいずれかに記載の自動二輪車の車高調整装置において、車高の状態や、制御状態、車体の情報などを表示する表示装置を設け、ライダーに現在の状態を表示すると共に、表示部に車高の調整部を設け、任意位置に車高を調整できるようにしたものである。
【００１５】
請求項９に係る発明は、請求項８に係る発明において更に、自動車高調整及びマニュアル車高調整を選択可能としたものである。
【発明の効果】
【００１６】
（請求項１）
(a)自動二輪車の車高調整装置において、車高を検出する車高検出手段と、油圧ジャッキのジャッキ室と、ダンパチューブ内の油室に連通する油溜室とを切換接続する切換弁と、車高検出手段の検出結果によって切換弁を切換制御し、車高を任意の位置に保持する制御手段とを有する。
【００１７】
従って、車高は、油圧ジャッキにおけるプランジャの最高突出可能端が定める最大高さ位置と、油圧ジャッキにおけるプランジャの最低没入可能端が定める最小高さ位置との間で、任意の中間高さ位置に保持され得る。
【００１８】
(b)車高の切換手段たる切換弁として電磁弁を採用することにより、切換弁を瞬時に切換えて効率よく車高を制御できる。
【００１９】
（請求項２）
(c)前記油圧ポンプが吐出する油を油溜室にリリーフするリリーフ弁を有し、このリリーフ弁を前記車高検出手段の検出結果によって制御することにより車高の任意の位置に保持する。
【００２０】
即ち、車両の走行中に、車高検出手段が一定の車高（中間高さ位置）を検出してリリーフ弁を切換制御すると、油圧ポンプがポンピング動作して吐出する作動油を油溜室にリリーフしてしまい、この油を油圧ジャッキに供給しない。これにより、車高を予め定める一定の中間高さ位置に保持できる。
【００２１】
（請求項３）
(d)前記切換弁が４ポート３位置電磁弁からなり、油圧ポンプから吐出される作動油により開弁する吐出用チェック弁及び油圧ポンプに吸込まれる作動油により開弁する吸込用チェック弁を備える車高上げポジションと、油圧ポンプを油溜室に連通する通路及び油圧ジャッキのジャッキ室を油溜室に連通する通路を備える車高下げポジションと、油圧ポンプを油溜室に連通する通路及び油圧ジャッキのジャッキ室を油溜室に対して遮断する通路を備える車高保持ポジションの３位置のいずれかに選択的に切換制御される。
【００２２】
即ち、車両の走行中に、車高検出手段が一定の車高（中間高さ位置）を検出して切換弁を車高保持ポジションに切換制御すると、油圧ポンプがポンピング動作して吐出する作動油を油溜室にリリーフしてしまい、この油を油圧ジャッキに供給しない。これにより、車高を予め定める一定の中間高さ位置に保持できる。
【００２３】
（請求項４）
(e)前記油圧ジャッキのジャッキ室の中間高さ位置に設けた中間ポートを油溜室に連通するサブ切換弁を有し、このサブ切換弁を前記車高検出手段の検出結果によって制御することにより車高の調整可能端を上記中間高さ位置に定める。
【００２４】
即ち、車高検出手段の検出信号によって制御されるサブ切換弁の設定により、中間高さ位置をプランジャの最高突出可能端とすれば、車高の下げ過ぎを防止できる。他方、中間高さ位置をプランジャの最低没入可能端とすれば、車高の上げ過ぎを防止できる。車高調整幅が大きく設定された自動二輪車において使い勝手の良い中間高さ位置保持モードを選択使用できる。
【００２５】
（請求項５）
(f)前記車高検出手段として、油圧ジャッキにおけるプランジャの突出高さ検出手段を採用することにより、検出時の車高を推測できる。
【００２６】
（請求項６）
(g)前記車高検出手段として、油圧ジャッキにおけるジャッキ室の油圧検出手段を採用することにより、検出時の車高を推測できる。このとき、油圧検出手段の検出結果をフィルタ（ローパス）にかけることによって車重（積載荷重）を推定できる。車重が重くて車高が下がり気味のときには、車高を上げてダンパの底突を回避する。車重が軽くて車高が上がり気味のときには、車高を下げてダンパの伸切を回避する。
【００２７】
（請求項７）
(h)前記車高検出手段として、ダンパチューブに対するピストンロッドの伸縮ストローク長検出手段を採用することにより、検出時の車高を推測できる。このとき、伸縮ストローク長検出手段の検出結果をフィルタ（バンドパス）にかけることによって路面の凹凸状況（振幅状況）を推定できる。路面の振幅が大きいときには、車高を上げてダンパの底突を回避し、又は車高を適宜高さに調整してダンパの底突と伸切の双方を回避する。路面の振幅が小さいときには、オンロード車であれば風の抵抗を緩和するために車高を下げ、オフロード車であれば車両の前後の揺れ（ピッチング）を防ぐために車高を下げる。
【００２８】
（請求項８）
(i)上述(a)〜(h)の車高調整装置において、車高の状態や、制御状態、車体の情報などを表示する表示装置を設け、ライダーに現在の状態を表示すると共に、表示部に車高の調整部を設け、任意位置に車高を調整できる。
【００２９】
（請求項９）
(j)上述(i)の車高調整装置において、自動車高調整及びマニュアル車高調整を選択可能とすることができる。
【図面の簡単な説明】
【００３０】
【図１】図１は自動二輪車を示す模式側面図である。
【図２】図２はリアサスペンションの車高上げ制御モードを示し、（Ａ）は伸長行程を示す断面図、（Ｂ）は圧縮行程を示す断面図である。
【図３】図３はリアサスペンションの車高下げ制御モードを示す断面図である。
【図４】図４はリアサスペンションの車高保持モードを示す断面図である。
【図５】図５はフロントフォークの車高上げ制御モードを示し、（Ａ）は伸長行程を示す断面図、（Ｂ）は圧縮行程を示す断面図である。
【図６】図６はフロントフォークの車高下げ制御モードを示す断面図である。
【図７】図７はフロントフォークの車高保持モードを示す断面図である。
【図８】図８は車高調整装置を示す制御回路図である。
【図９】図９は制御回路の一例を示す回路図である。
【図１０】図１０は車高の調整状態を示す線図である。
【図１１】図１１は制御回路の変形例を示す回路図である。
【図１２】図１２は車高の調整状態を示す線図である。
【図１３】図１３は制御回路の変形例を示す回路図である。
【図１４】図１４は車高の調整状態を示す線図である。
【図１５】図１５は制御回路の変形例を示す回路図である。
【発明を実施するための形態】
【００３１】
図１に示した自動二輪車１は、車体２と後部車軸３（後輪３Ａ）との間にリアサスペンション１０を介装し、車体２と前部車軸４（前輪４Ａ）との間にフロントフォーク１１０を介装している。
【００３２】
リアサスペンション１０（図２〜図４、図８〜図１０）
リアサスペンション１０は、図２〜図４、図７に示すダンパ１０Ａを有する。ダンパ１０Ａは、車体側に取付けられるダンパチューブ１１と、車軸側に取付けられるピストンロッド１２とを有する。ピストンロッド１２は、ダンパチューブ１１内をピストン２４を介して摺動して該ダンパチューブ１１に対して伸縮し、ダンパチューブ１１とピストンロッド１２の外周沿いに配置された懸架スプリング１３を有する。ダンパチューブ１１の上端部には車体側取付部材１４が固定され、ピストンロッド１２の下端部には車軸側取付部材１５が固定される。
【００３３】
ダンパチューブ１１の上端側の外周部には後輪側車高調整装置４０の油圧ジャッキ４１が設けられ、油圧ジャッキ４１にはジャッキ室４２を区画するプランジャ４３が挿入される。懸架スプリング１３の上端がプランジャ４３に支持され、懸架スプリング１３の下端が車軸側取付部材１５に設けたばね受１６に支持される。
【００３４】
リアサスペンション１０は、ダンパチューブ１１をインナチューブ２１とアウタチューブ２２からなる二重管とし、ピストンロッド１２のインナチューブ２１への挿入端にピストン２４を固定して備える。リアサスペンション１０は、インナチューブ２１の内部にピストン２４により区画される下油室２５Ａと上油室２５Ｂを形成し、アウタチューブ２２の外周に油溜室２６を形成し、それらの油室２５Ａ、２５Ｂ、油溜室２６に作動油を収容している。油溜室２６は常に下油室２５Ａ又は上油室２５Ｂに連通し、リアサスペンション１０の伸縮に伴うピストンロッド１２の容積分の作動油を補償する。
【００３５】
リアサスペンション１０は、ピストンロッド１２のピストン２４に設けた下油室２５Ａと上油室２５Ｂとの連絡路に減衰力発生装置２７（図８）を有するとともに、ダンパチューブ１１に設けた上油室２５Ｂと油溜室２６との連絡路に減衰力発生装置２８（図８）を有する。減衰力発生装置２７、２８は、懸架スプリング１３による路面からの衝撃力の吸収に伴うダンパチューブ１１とピストンロッド１２の伸縮振動を減衰する。
【００３６】
しかるに、後輪側車高調整装置４０は、図２〜図４、図８に示す如く、ダンパチューブ１１におけるアウタチューブ２２の外周に油圧ジャッキ４１を設けている。油圧ジャッキ４１はジャッキ室４２を区画するプランジャ４３を備える。プランジャ４３はジャッキ室４２に供給される作動油によりジャッキ室４２から突出し、その下面に懸架スプリング１３の上端を支持する。
【００３７】
尚、油圧ジャッキ４１は、プランジャ４３がジャッキ室４２から突出する突出端に達したとき、ジャッキ室４２の作動油を油溜室２６に戻す油戻り通路４４をアウタチューブ２２に設けている（図４）。
【００３８】
後輪側車高調整装置４０は、ダンパチューブ１１に対するピストンロッド１２の伸縮動によりポンピング動作して油圧ジャッキ４１のジャッキ室４２に作動油を給排する油圧ポンプ５０を有する。
【００３９】
油圧ポンプ５０は、ダンパチューブ１１のエンドピース１１Ａに立設した中空パイプ５１を、ピストンロッド１２の中空部によって形成されているポンプ室５２に摺動可能に挿入してある。
【００４０】
油圧ポンプ５０は、ピストンロッド１２がダンパチューブ１１、中空パイプ５１に進入する収縮動により加圧されるポンプ室５２の作動油を油圧ジャッキ４１の側に吐出させる吐出用チェック弁５３を備えるとともに（図２（Ｂ））、ピストンロッド１２がダンパチューブ１１、中空パイプ５１から退出する伸長動により負圧になるポンプ室５２にダンパチューブ１１のインナチューブ２１内の作動油を吸込む吸込用チェック弁５４を備える（図２（Ａ））。
【００４１】
従って、油圧ポンプ５０は、車両が走行してリアサスペンション１０が路面の凹凸により加振され、ピストンロッド１２がダンパチューブ１１、中空パイプ５１に進退する伸縮動によりポンピング動作する。ピストンロッド１２の収縮動によるポンピング動作により、ポンプ室５２が加圧されるとき、ポンプ室５２の油が吐出用チェック弁５３を開いて油圧ジャッキ４１の側に吐出される。ピストンロッド１２の伸長動によるポンピング動作により、ポンプ室５２が負圧になると、ダンパチューブ１１の上油室２５Ｂの油が吸込用チェック弁５４を開いてポンプ室５２に吸込まれる。
【００４２】
後輪側車高調整装置４０は、油圧ジャッキ４１のジャッキ室４２に供給した作動油を止めるように閉弁し、又は該作動油を図３に示す如くに油溜室２６（ダンパチューブ１１の油室２５Ａ、２５Ｂでも可）に排出するように開弁する切換弁６０を有する。後輪側車高調整装置４０は、図８、図９に示す如くの制御回路を有し、ＥＣＵ（制御手段）７０による切換弁６０の開閉制御によって、ダンパチューブ１１に対するピストンロッド１２の伸縮動によりポンピング動作する油圧ポンプ５０が油圧ジャッキ４１のジャッキ室４２に供給した作動油の液位、ひいてはジャッキ室４２から突出するプランジャ４３の突出高さを調整し、車両の車高を制御する。
【００４３】
フロントフォーク１１０（図５〜図７）
フロントフォーク１１０は、図５〜図７に示す如く、ダンパ１１０Ａを有する。ダンパ１１０Ａは、車体側に取付けられるダンパチューブ１１１と、車軸側に取付けられるボトムチューブ１１２及びピストンロッド１１３を有する。ダンパチューブ１１１はボトムチューブ１１２の上端開口から該ボトムチューブ１１２内に摺動可能に挿入される。ピストンロッド１１３は、ボトムチューブ１１２の内部中央に立設され、ダンパチューブ１１１の下端側の油室１２５内を摺動して該ダンパチューブ１１１に対して伸縮する。ダンパチューブ１１１の上端側の油溜室１２６には懸架スプリング１１４が配置されている。ダンパチューブ１１１の上端部には不図示の車体側取付部材が固定され、ボトムチューブ１１２の下端部には車軸側取付部材１１５が固定される。
【００４４】
ダンパチューブ１１１の上端部には、前輪側車高調整装置１４０の油圧ジャッキ１４１が設けられ、油圧ジャッキ１４１にはジャッキ室１４２を区画するプランジャ１４３が嵌合される。懸架スプリング１１４の上端がばね受１１６を介してプランジャ１４３に支持され、懸架スプリング１１４の下端がピストンロッド１１３の上端部に設けたエンドピース兼ばね受１１７に支持される。
【００４５】
フロントフォーク１１０は、ダンパチューブ１１１の下端側に、ピストンロッド１１３の外周に摺動するピストン１２４を固定的に備える。フロントフォーク１１０は、ピストンロッド１１３の外周にピストン１２４により区画される下油室１２５Ａと上油室１２５Ｂを形成し、ピストンロッド１１３の内周及びダンパチューブ１１１の上部内周に油溜室１２６を形成し、それらの油室１２５Ａ、１２５Ｂ、油溜室１２６に作動油を収容している。油溜室１２６は常に下油室１２５Ａ又は上油室１２５Ｂに連通し、フロントフォーク１１０の伸縮に伴うダンパチューブ１１１の容積分の作動油を補償する。
【００４６】
フロントフォーク１１０は、ダンパチューブ１１１のピストン１２４に設けた下油室１２５Ａと上油室１２５Ｂとの連絡路に減衰力発生装置１２７を有するとともに、ピストンロッド１１３に設けた下油室１２５Ａ、上油室１２５Ｂと油溜室１２６との連絡路に減衰力発生装置１２８を有する。減衰力発生装置１２７、１２８は、懸架スプリング１１４による路面からの衝撃力の吸収に伴うダンパチューブ１１１とボトムチューブ１１２、ピストンロッド１１３の伸縮振動を減衰する。
【００４７】
しかるに、前輪側車高調整装置１４０は、図５〜図７に示す如く、ダンパチューブ１１１の上端部に油圧ジャッキ１４１を設けている。油圧ジャッキ１４１はジャッキ室１４２を区画するプランジャ１４３を備える。プランジャ１４３はジャッキ室１４２に供給される作動油によりジャッキ室１４２から突出し、その下面に懸架スプリング１１４の上端を支持する。
【００４８】
尚、油圧ジャッキ１４１は、プランジャ１４３がジャッキ室１４２から突出する突出端に達したとき、ジャッキ室１４２の作動油を油溜室１２６に戻す油戻り通路１４４を油圧ジャッキ１４１に設けている（図７）。
【００４９】
前輪側車高調整装置１４０は、ダンパチューブ１１１に対するピストンロッド１１３の伸縮動によりポンピング動作して油圧ジャッキ１４１のジャッキ室１４２に作動油を給排する油圧ポンプ１５０を有する。
【００５０】
油圧ポンプ１５０は、ピストンロッド１１３のエンドピース１１７に立設した中空パイプ１５１を、プランジャ１４３の中空部によって形成されているポンプ室１５２に摺動可能に挿入してある。
【００５１】
油圧ポンプ１５０は、ピストンロッド１１３、中空パイプ１５１がダンパチューブ１１１に進入する収縮動により加圧されるポンプ室１５２の作動油を油圧ジャッキ１４１の側に吐出させる吐出用チェック弁１５３を備えるとともに（図５（Ｂ））、ピストンロッド１１３、中空パイプ１５１がダンパチューブ１１１から退出する伸長動により負圧になるポンプ室１５２に油溜室１２６の作動油を吸込む吸込用チェック弁１５４を備える（図５（Ａ））。
【００５２】
従って、油圧ポンプ１５０は、車両が走行してフロントフォーク１１０が路面の凹凸により加振され、ピストンロッド１１３、中空パイプ１５１がダンパチューブ１１１に進退する伸縮動によりポンピング動作する。ピストンロッド１１３の収縮動によるポンピング動作によりポンプ室１５２が加圧されるとき、ポンプ室１５２の油が吐出用チェック弁１５３を開いて油圧ジャッキ１４１の側に吐出される。ピストンロッド１１３の伸長動によるポンピング動作によりポンプ室１５２が負圧になると、油溜室１２６の油が吸込用チェック弁１５４を開いてポンプ室１５２に吸込まれる。
【００５３】
前輪側車高調整装置１４０は、油圧ジャッキ１４１のジャッキ室１４２に供給した作動油を止めるように閉弁し、又は該作動油を図６に示す如くに油溜室１２６に排出するように開弁する切換弁１６０（不図示）を有する。前輪側車高調整装置１４０は、後輪側車高調整装置４０において図８、図９に示したと同様の制御回路を有し、ＥＣＵ（制御手段）７０による切換弁１６０の開閉制御によって、ダンパチューブ１１１に対するピストンロッド１１３の伸縮動によりポンピング動作する油圧ポンプ１５０が油圧ジャッキ１４１のジャッキ室１４２に供給した作動油の液位、ひいてはジャッキ室１４２から突出するプランジャ１４３の突出高さを調整し、車両の車高を制御する。
【００５４】
本実施例のＥＣＵ７０は、車高検出手段８０（前輪側車高検出手段８０Ｆ、後輪側車高検出手段８０Ｒ）、車速センサ９１（前輪車速センサ９１Ｆ、後輪車速センサ９１Ｒ）、シフトポジションセンサ９２、Ｇセンサ（加減速センサ）９３、サイドスタンドセンサ９４、エンジン回転センサ９５、ブレーキセンサ９６等の検出信号を経て、電磁弁からなる切換弁６０（又は切換弁１６０）をオン／オフ制御する。
【００５５】
車高検出手段８０（前輪側車高検出手段８０Ｆ又は後輪側車高検出手段８０Ｒ）としては、油圧ジャッキ４１におけるプランジャ４３（又は油圧ジャッキ１４１におけるプランジャ１４３）の突出高さ検出手段８１、油圧ジャッキ４１におけるジャッキ室４２（又は油圧ジャッキ１４１におけるジャッキ室１４２）の油圧検出手段８２、ダンパチューブ１１に対するピストンロッド１２（又はダンパチューブ１１１に対するピストンロッド１１３）の伸縮ストローク長検出手段８３の１つ、或いはそれらの２つ以上の組合せを採用できる。
【００５６】
尚、プランジャ４３の突出高さ検出手段８１は、具体的には、例えば図８に示す如く、油圧ジャッキ４１の外周にコイル８１Ａを巻き、プランジャ４３に設けたカバー８１Ｂを油圧ジャッキ４１の外周に被せる。突出高さ検出手段８１はプランジャ４３の変位に応じてコイル８１Ａのインピーダンスを変化させ、コイル８１Ａの出力は信号処理回路８１Ｃを介してＥＣＵ７０に伝えられ、ＥＣＵ７０は信号処理回路８１Ｃが出力するコイル８１Ａの発振周波数でプランジャ４３の突出高さを検出することで車高を検出できるので車高検出手段８０をダンパに一体化することができる。
【００５７】
以下、自動二輪車１の車高調整動作として、単一の２ポート２位置電磁弁からなる切換弁６０を用いた図８、図９の制御回路を採用したリアサスペンション１０の後輪側車高調整装置４０について詳述する。フロントフォーク１１０の前輪側車高調整装置１４０による車高調整動作も実質的に同様である。
【００５８】
ＥＣＵ７０がオン信号を出力する車高下げ制御モードで、切換弁６０が開弁して油圧ジャッキ４１のジャッキ室４２をダンパチューブ１１の油溜室２６に接続することにより、油圧ポンプ５０が油圧ジャッキ４１のジャッキ室４２に供給した作動油を油溜室２６に排出してジャッキ室４２の液位、ひいてはプランジャ４３の突出高さを下げ、車高下げ動作可能にする。
【００５９】
他方、ＥＣＵ７０がオフ信号を出力する車高上げ制御モードで、切換弁６０が閉弁して油圧ジャッキ４１のジャッキ室４２をダンパチューブ１１の油溜室２６に対して遮断し、油圧ポンプ５０が油圧ジャッキ４１のジャッキ室４２に供給した作動油を排出せず、車高維持又は車高上げ動作可能にする。このとき、ピストンロッド１２の前述の伸長動によるポンピング動作により、油圧ポンプ５０はダンパチューブ１１の下油室２５Ａの油を吸込用チェック弁５４からポンプ室５２に吸込み可能にする。そして、ピストンロッド１２の前述の収縮動によるポンピング動作により、油圧ポンプ５０はポンプ室５２の油を吐出用チェック弁５３から油圧ジャッキ４１のジャッキ室４２に供給し、車高上げ動作可能にする。
【００６０】
尚、切換弁６０は、図８、図９ではノーマルクローズバルブとしたが、ノーマルオープンパルブであっても良い。
【００６１】
後輪側車高調整装置４０による制御モードは具体的には以下の通りである。
（Ａ）車高下げ制御モード
後輪側車高調整装置４０において、ＥＣＵ７０は、車両の走行中又は長時間停車中にあって、切換弁６０を閉弁して車高上げ動作可能にする車高上げ制御モード下で、下記１〜３のいずれかの制御条件によって切換弁６０を開弁する車高下げ制御モードに移行する。
【００６２】
尚、ＥＣＵ７０は、車高下げ制御モードに入って切換弁６０を閉弁状態から開弁するとき、切換弁６０を閉弁状態から開弁した当初の印加電圧（ソレノイド開弁当初電圧Ｅ1）に比し、開弁してから一定時間後の開弁保持段階でその印加電圧をソレノイド開弁保持電圧Ｅ2に下げ、切換弁６０に供給するソレノイド電流を省エネ化する。例えば、Ｅ1＝12V、Ｅ2＝4Vである。
【００６３】
また、ソレノイドが閉弁保持状態にある時、一定時間の間隔で通常電圧（起動時の電圧）を付与することで、振動などにより、誤動作することを防ぐことができ、誤動作状態から復帰させることが可能となる。
【００６４】
１．車速制御
ＥＣＵ７０は、車両の車速Ｖが車高下げ車速Ｖd以下（Ｖ≦Ｖd）に入ったときに、車高下げ制御モードに入り、切換弁６０を開弁して車高下げ動作可能にする。
ＥＣＵ７０は、車高下げ車速Ｖdを予め定めておく。Ｖdは例えば10km/hとする。
【００６５】
２．停車予測時間制御
ＥＣＵ７０は、車両の停車予測時間Ｔを予測し、予測した停車予測時間Ｔが所定の基準停車時間Ｔa以下（Ｔ≦Ｔa）になったきに、車高下げ制御モードに入り、切換弁６０を開弁して車高下げ動作可能にする。
【００６６】
ＥＣＵ７０は、車両の車速から減速度を算出し、又はＧセンサから減速度を検出し、減速度から停車予測時間Ｔを予測する。
【００６７】
ＥＣＵ７０は、基準停車時間Ｔaを、油圧ジャッキ４１のジャッキ室４２に満杯された作動油の排出時間（ジャッキ室４２から切換弁６０を介してダンパチューブ１１の油溜室２６に排出する時間）とする。
【００６８】
このとき、ＥＣＵ７０は、車両の停車予測時間Ｔを予測開始すべき基準車速Ｖaを予め定め、車両の車速Ｖが基準車速Ｖa以下（Ｖ≦Ｖa）になったときに、停車予測時間Ｔを予測するものとする。
【００６９】
尚、ＥＣＵ７０は、停車予測時間制御において、上述のＴ≦Ｔa、かつＶ≦Ｖaなる制御条件に代え、車両の減速度αが所定の基準減速度αa以上（α≧αa）になったときに車高下げ制御モードに入り、切換弁６０を開弁して車高下げ動作可能にするものとしても良い。
【００７０】
ＥＣＵ７０は、基準車速Ｖa、基準停車時間Ｔa、基準減速度αaを予め定めておく。Ｖaは例えば40km/h、Ｔaは例えば2.5sec、αaは例えば4km/h/secとする。
【００７１】
尚、停止予測時間とは、刻々の車両運動パラメータから予測演算される、走行中の車両が直近未来に停止するまでの時間を代表するパラメータであって、時間の次元を有する。
【００７２】
実際の比較演算を行なう際には、時間の次元が比較式の両辺に分割されていたり、要素毎に比較を行なう等によって、一見「時間」の次数をとらない比較演算となる場合もある。
【００７３】
例えば、最も簡単な停止時間予測の演算式のひとつはＴ＝−Ｖ／α＝−Ｖ・dt／dV（等加速度運動を仮定した場合の演算式）であるが、下記３つの比較式はすべて同一の意味となり、演算上の都合で比較方法の違いは生じても、実効上の意味はすべて停止予測時間の比較演算を行なっているものである。
Ｔ＜ｃ（ｃは閾値、ここではｃ＝Ｔa）
Ｖ＜−ｃ・α
−α＞ｃ・Ｖ
【００７４】
更に要素毎に比較を行なう例では、（Ｖ＜ｃ1）∩（−α＞ｃ2）  (ｃ1、ｃ2は閾値)のように停止時間を算出するＶ、αの要素毎に比較を行ない、論理積をとる等の場合がある。
この場合は、Ｔ＝−Ｖ／αより、Ｔa＝（−ｃ1）／（−ｃ2）＝ｃ1／C2と表せる。
【００７５】
３．サイドスタンド制御
ＥＣＵ７０は、車両のサイドスタンドが待機位置から作業位置に設定替えされたことを検出したときに車高下げ制御モードに入り、切換弁６０を開弁して車高下げ動作可能にする。また、車速を監視して、車速が微速以上（例えば5km/s）ある場合はスタンド位置が、作業位置にあっても、下げ制御を行なわないで、車速が0の場合のみ下げ制御を実施する様な制御を行なうことができる。
【００７６】
（Ｂ）車高上げ制御モード
後輪側車高調整装置４０において、ＥＣＵ７０は、上述（Ａ）により切換弁６０を開弁保持した車高下げ制御モード中に、下記１〜４のいずれかの制御条件によって切換弁６０を閉弁する車高上げ制御モードに移行する。
【００７７】
尚、ＥＣＵ７０は、車高上げ制御モードに入って切換弁６０を開弁状態から閉弁するとき、切換弁６０への印加電圧Ｅ0をオフする（Ｅ0＝OV）。
【００７８】
１．車速制御
ＥＣＵ７０は、車両の車速Ｖが車高下げ車速Ｖd（車高下げ車速Ｖdとは独立に定めた車高上げ車速Ｖuでも可）を越えた（Ｖ＞Ｖd、又はＶ＞Ｖu）ときに、車高下げ制御モードを中止し、車高上げ制御モードに入り、切換弁６０を閉弁して車高上げ動作可能にする。
【００７９】
ＥＣＵ７０は、車高下げ車速Ｖd（又は車高上げ車速Ｖu）を予め定めておく。Ｖd又はＶuは例えば40km/hとする。
【００８０】
２．停車予測時間制御
ＥＣＵ７０は、車両の停車予測時間Ｔを予測し、予測した停車予測時間Ｔが所定の副次的基準停車時間Ｔbを越えた（Ｔ＞Ｔb）ときに、車高下げ制御モードを中止し、車高上げ制御モードに入り、切換弁６０を閉弁して車高上げ動作可能にする。
【００８１】
ＥＣＵ７０は、車両の停車予測時間Ｔを、車両の減速度（又は加速度）から予測する。
このとき、ＥＣＵ７０は、車両の停車時間Ｔを予測開始すべき副次的基準車速Ｖbを予め定め、車両の車速Ｖが副次的基準車速Ｖbを越えた（Ｖ＞Ｖb）ときに、停車予測時間Ｔを予測するものとする。
【００８２】
尚、ＥＣＵ７０は、停車予測時間制御において、上述のＴ＞Ｔb、かつＶ＞Ｖbなる制御条件に代え、車両の加速度βが所定の基準加速度βbを越えた（β＞βb）ときに、車高下げ制御モードを中止し、車高上げ制御モードに入り、切換弁６０を閉弁して車高上げ動作可能にするものとしても良い。
【００８３】
ＥＣＵ７０は、副次的基準車速Ｖb、副次的基準停車時間Ｔb、基準加速度βbを予め定めておく。Ｖbは例えば40km/h、Ｔbは例えば3sec、βbは例えば5km/h/secとする。
【００８４】
３．長時間停車制御
ＥＣＵ７０は、車両の停車時間が所定の継続停車時間Ｔc以上になったときに、車高下げ制御モードを中止し、車高上げ制御モードに入り、切換弁６０を閉弁して車高上げ動作可能にする。
ＥＣＵ７０は、車両の継続停車時間Ｔcを予め定めておく。Ｔcは例えば30secとする。
【００８５】
４．ニュートラル制御
ＥＣＵ７０は、車両の車速Ｖ＝0、かつシフトポジションがニュートラルのときに、車高下げ制御モードを中止し、車高上げ制御モードに入り、切換弁６０を閉弁して車高上げ動作可能にする。
【００８６】
（Ｃ）車高保持モード
後輪側車高調整装置４０において、ＥＣＵ７０は、車両の走行中にあって、車高検出手段８０（後輪側車高検出手段８０Ｒ）の検出結果によって切換弁６０を開閉制御することにより、車高を予め所望により設定した任意の中間高さ位置に保持する。
【００８７】
即ち、ＥＣＵ７０が切換弁６０をオフ作動（車高上げ制御モード）からオン作動に切換えて開弁し、車高下げ開始する車高の上しきい値をＨ1に設定し、ＥＣＵ７０が切換弁６０をオン作動（車高下げ制御モード）からオフ作動に切換えて閉弁し、車高上げ開始する車高の下しきい値をＨ2に設定する。これにより、ＥＣＵ７０は、車高検出手段８０の検出結果によって、自動二輪車１の走行中の車高を、図１０に示す如く、Ｈ1とＨ2に挟まれる中間高さ位置に保持するものになる。
【００８８】
従って、このような後輪側車高調整装置４０によれば、車高は、油圧ジャッキ４１におけるプランジャ４３の最高突出可能端が定める最大高さ位置と、油圧ジャッキ４１におけるプランジャ４３の最低没入可能端が定める最小高さ位置との間で、任意の中間高さ位置に保持され得る。
【００８９】
また、車高の切換手段たる切換弁６０として電磁弁を採用することにより、切換弁を効率よく制御できる。
【００９０】
尚、車高検出手段８０（後輪側車高検出手段８０Ｒ）として、油圧ジャッキ４１におけるプランジャ４３の突出高さ検出手段８１を採用することにより、検出時の車高を推測できる。
【００９１】
また、車高検出手段８０（後輪側車高検出手段８０Ｒ）として、油圧ジャッキ４１におけるジャッキ室４２の油圧検出手段８２を採用することにより、検出時の車高を推測できる。このとき、油圧検出手段８２の検出結果をフィルタ（ローパス）にかけることによって、車重（積載荷重）を推定できる。車重が重くて車高が下がり気味のときには、車高を上げてダンパ１０Ａの底突を回避する。車重が軽くて車高が上がり気味のときには、車高を下げてダンパ１０Ａの伸切を回避する。
【００９２】
また、車高検出手段８０（後輪側車高検出手段８０Ｒ）として、ダンパチューブ１１に対するピストンロッド１２の伸縮ストローク長検出手段８３を採用することにより、検出時の車高を推測できる。このとき、伸縮ストローク長検出手段８３の検出結果をフィルタ（バンドパス）にかけることによって路面の凹凸状況（振幅状況）を推定できる。路面の振幅が大きいときには、車高を上げてダンパ１０Ａの底突を回避し、又は車高を適宜高さに調整してダンパ１０Ａの底突と伸切の双方を回避する。路面の振幅が小さいときには、オンロード車であれば風の抵抗を緩和するために車高を下げ、オフロード車であれば車両の前後の揺れ（ピッチング）を防ぐために車高を下げる。
【００９３】
（Ｄ）付帯装置制御モード
後輪側車高調整装置４０において、ＥＣＵ７０は、後輪側車高調整手段８０Ｒの検出信号により、車両に付帯する付帯装置、例えばヘッドライト２１０、サイドスタンド２２０、バックミラー２３０、ＡＢＳ付きブレーキ２４０、表示装置２５０等を以下の如くに制御する。
【００９４】
（ヘッドライト２１０）
ＥＣＵ７０は、後輪側車高検出手段８０Ｒの検出信号により、ヘッドライト２１０の光軸の位置、傾き等を車高に応じて最適状態に調整する。このとき、ＥＣＵ７０は、ヘッドライト２１０のためのＥＣＵ２１１を介する。
【００９５】
これにより、車高が如何様に変化しても、ヘッドライト２１０の光軸をそれらの車高に応じて適宜な光軸となるように設定替えし、結果としてライダー自身のための適正な照明範囲を確保し、或いは対向車の視界を損なうおそれを排除できる。
【００９６】
（サイドスタンド２２０）
ＥＣＵ７０は、後輪側車高検出手段８０Ｒの検出信号により、サイドスタンド２２０の長さを車両停車時の車高に応じて調整する。このとき、ＥＣＵ７０は、サイドスタンド２２０のためのＥＣＵ２２１を介する。
【００９７】
即ち、車高が高い状態で停車した場合にサイドスタンド２２０が届かずに車両が転倒する可能性もあるので、車高が高い状態で停車した場合には、サイドスタンド２２０を伸ばし、安定して停車できるようにする必要があり、停車時の車高を検出し、サイドスタンド２２０の長さを調整する。
【００９８】
（バックミラー２３０）
ＥＣＵ７０は、後輪側車高検出手段８０Ｒの検出信号により、バックミラー２３０の位置を車高に応じて調整する。このとき、ＥＣＵ７０は、バックミラー２３０のためのＥＣＵ２３１を介する。
【００９９】
即ち、車高が如何様に変化しても、バックミラー２３０の位置をそれらの車高に応じて適宜な位置となるように設定替えし、結果として後方視認の確実を図る。
【０１００】
（ＡＢＳ付きブレーキ２４０）
ＥＣＵ７０は、後輪側車高検出手段８０Ｒの検出信号により、ブレーキ２４０のＡＢＳを作動させる車輪速の減速変化率のしきい値を車高に応じて調整する。このとき、ＥＣＵ７０は、ＡＢＳ付きブレーキ２４０のためのＥＣＵ２４１を介する。
即ち、車高が如何様に変化しても、ＡＢＳによる安定したブレーキ操作性を確保できる。
【０１０１】
（表示装置２５０）
ＥＣＵ７０は、後輪側車高検出手段８０Ｒの検出信号により、表示装置２５０に車高を表示する。このとき、ＥＣＵ７０は、表示装置２５０に表示させる。
【０１０２】
表示装置２５０には、車高の情報の他に、車体の情報や、制御情報、故障等の表示機能を備え、また、表示の他に、スイッチ操作により、車高下げや、自動／手動の切り替えや、任意車高位置の調整等の、設定機能を備え、ライダーの操作により、好みの制御や、車高高さに調整可能にできる。
【０１０３】
（バネプリロード調整）
燃料計の残量により荷重が変化するため燃料の量により、プリロードを補正するように、マップ又は、ダンパストロークにより車高を補正する、又は、リアステップにスイッチを設け、２名乗車を予測し、プリロードを補正するようにしてもよい。
【０１０４】
以上、自動二輪車１において、リアサスペンション１０に採用した後輪側車高調整装置４０の車高調整動作について説明したが、フロントフォーク１１０に採用した前輪側車高調整装置１４０においても、前輪側車高検出手段８０Ｆの検出結果を用いて、後輪側車高調整装置４０による上述の（Ａ）車高下げ制御モード、（Ｂ）車高上げ制御モード、（Ｃ）車高保持モード、（Ｄ）付帯装置制御モードと実質的に同一の車高調整動作を行なうことができる。
【０１０５】
（Ｅ）前後の車高連動制御モード
次に、自動二輪車１におけるリアサスペンション１０の車高調整動作を、フロントフォーク１００による車高調整動作と連動する車高連動制御モードについて説明する。
【０１０６】
即ち、リアサスペンション１０の後輪側車高調整装置４０は、ピストンロッド１２の伸縮動によりポンピング動作して作動油を吐出する油圧ポンプ５０と、油圧ポンプ５０が吐出する作動油により突出するプランジャ４３を備える油圧ジャッキ４１と、油圧ジャッキ４１のプランジャ４３に支持される懸架スプリング１３とを有し、リアサスペンション１０に付帯する後輪側車高検出手段８０Ｒの検出結果により油圧ジャッキ４１を作動制御し、後輪側車高を調整する。
【０１０７】
また、フロントフォーク１１０の前輪側車高調整装置１４０は、ピストンロッド１１３の伸縮動によりポンピング動作して作動油を吐出する油圧ポンプ１５０と、油圧ポンプ１５０が吐出する作動油により突出するプランジャ１４３を備える油圧ジャッキ１４１と、油圧ジャッキ１４１のプランジャ１４３に支持される懸架スプリング１１４とを有し、フロントフォーク１１０に付帯する前輪側車高検出手段８０Ｆの検出結果により油圧ジャッキ１４１を作動制御し、前輪側車高を調整する。
【０１０８】
そして、自動二輪車１にあっては、リアサスペンション１０の後輪側車高調整装置４０が有する油圧ジャッキ４１の作動制御による後輪側車高の調整動作と、フロントフォーク１１０の前輪側車高調整装置１４０が有する油圧ジャッキ１４１の作動制御による前輪側車高の調整動作とを連動させて車高を調整する。これにより、自動二輪車１の車高が変化してもライダーの運転姿勢の安定を図ることができる。
【０１０９】
従って、自動二輪車１において、ＥＣＵ７０は、後輪側車高調整装置４０による後輪側車高の調整動作と、前輪側車高調整装置１４０による前輪側車高の調整動作とを同期させて車高を調整することができる。これにより、前後の車軸３、４に対して車体２を上下平行に変位し、ライダーの運転姿勢の安定を維持し得るものになる。
【０１１０】
また、自動二輪車１において、ＥＣＵ７０は、後輪側車高調整装置４０と前輪側車高調整装置１４０によって車高を下げ動作するとき、後輪側車高調整装置４０による後輪側車高の下げ動作を、前輪側車高調整装置１４０による前輪側車高の下げ動作よりも先行させて車高を調整することができる。これにより、後輪側の車高を先に下げ、停車時の足付き性を向上できる。
【０１１１】
また、停車時のブレーキ操作によって既に前のめり気味の車体２を後輪側から先に下げ動作させ、次に前輪側も下げ動作させることにより、車体２の前のめりを緩和できる。
【０１１２】
尚、リアサスペンション１０とフロントフォーク１００の車高連動制御モードにおいて、リアサスペンション１０の油圧ジャッキ４１とフロントフォーク１００の油圧ジャッキ１４１に作動油を供給する油圧ポンプとして、リアサスペンション１０がピストンロッド１２の伸縮動によりポンピング動作して作動油を吐出する油圧ポンプ５０を共用するものでも良い。但し、フロントフォーク１００がピストンロッド１２４の伸縮動によりポンピング動作して作動油を吐出する油圧ポンプ１５０を上述のリアサスペンション１０とフロントフォーク１００の車高連動のための油圧ポンプとして共用することもできる。
【０１１３】
次に、後輪側車高調整装置４０（前輪側車高調整装置１４０も同じ）を構成する制御回路の変形例について説明する。
【０１１４】
（車高調整装置４０の制御回路の変形例１）（図１１、図１２）
車高調整装置４０の図１１に示した変形例１の制御回路が図９に示した制御回路と異なる点は、切換弁６０をともにリリーフ弁６１を設けたことにある。リリーフ弁６１は、油圧ポンプ５０のポンプ室５２の吐出経路上であって、吐出用チェック弁５３よりポンプ室５２に近い部分を、ダンパチューブ１１の油溜室２６（油室２５Ａ、２５Ｂでも可）に連絡する連絡路に介装される。ＥＣＵ７０は、車高検出手段８０Ｒの検出結果によってリリーフ弁６１を下記(1)〜(4)の如くに制御することにより、車高を任意の位置に保持可能にする。
【０１１５】
尚、変形例１のリリーフ弁６１は、ノーマルオープン（但し、ノーマルクローズでも可）の２ポート２位置電磁弁からなる。
【０１１６】
(1)ＥＣＵ７０が切換弁６０をオフ作動させて閉弁し、かつリリーフ弁６１をオン作動させて閉弁することで、車高調整装置４０のジャッキ室４２及び油圧ポンプ５０のポンプ室５２がダンパチューブ１１の油溜室２６に対して遮断され、油圧ポンプ５０のポンピング動作により車高上げ動作する（図１２のａ）。
【０１１７】
(2)ＥＣＵ７０が上述(1)に対し、切換弁６０をオフ作動させたまま閉弁し続けながら、リリーフ弁６１をオフ作動させて開弁すると、車高調整装置４０のジャッキ室４２はダンパチューブ１１の油溜室２６に対して遮断されたまま、油圧ポンプ５０のポンプ室５２がダンパチューブ１１の油溜室２６に接続され、車高は上述(1)で設定された最大突出高さ位置又は中間高さ位置に保持される（図１２のｂ）。
【０１１８】
(3)ＥＣＵ７０が上述(2)に対し、切換弁６０をオン作動させて開弁すると（リリーフ弁６１はオフ作動又はオン作動のいずれでも可）、車高調整装置４０のジャッキ室４２がダンパチューブ１１の油溜室２６に接続され、ジャッキ室４２の液位、ひいてはプランジャ４３の突出高さを上述(2)で設定された高さから下げ、車高下げ動作する（図１２のｃ）。
【０１１９】
(4)ＥＣＵ７０が上述(3)に対し、切換弁６０をオフ作動させて閉弁し、かつリリーフ弁６１をオフ作動させて開弁することで、車高調整装置４０のジャッキ室４２はダンパチューブ１１の油溜室２６に接続され、油圧ポンプ５０のポンプ室５２はダンパチューブ１１の油溜室２６に対して遮断され、車両は上述(3)で設定された中間高さ位置に保持される（図１２のｄ）。
【０１２０】
（車高調整装置４０の制御回路の変形例２）（図１３、図１４）
車高調整装置４０の図１３に示した変形例２の制御回路が図９に示した制御回路と異なる点は、切換弁６０とともにサブ切換弁６２を設けたことにある。サブ切換弁６２は、油圧ジャッキ４１のジャッキ室４２の中間高さ位置に設けた中間ポートＰｍをダンパチューブ１１の油溜室２６に選択的に連通又は遮断可能にするものである。ＥＣＵ７０は、後輪側車高検出手段８０Ｒの検出結果によってサブ切換弁６２を下記(1)〜(5)の如くに制御することにより、車高の調整可能端を上記中間高さ位置に定める。
【０１２１】
尚、変形例２のサブ切換弁６２は、ノーマルオープン（但し、ノーマルクローズでも可）の２ポート２位置電磁弁からなる。
【０１２２】
(1)ＥＣＵ７０が切換弁６０をオフ作動させて閉弁し、サブ切換弁６２をオフ作動させて開弁することで、車高調整装置４０のジャッキ室４２の液位が中間ポートＰｍに達するまで、油圧ポンプ５０のポンピング動作により車高上げ動作し、ひいては車高の調整可能端を中間ポートＰｍが定める中間高さ位置に保持する（図１４のａ）。
【０１２３】
(2)ＥＣＵ７０が(1)に対し、切換弁６０をオフ作動のまま閉弁し続け、サブ切換弁６２をオン作動させて閉弁すると、油圧ポンプ５０のポンピング動作により車高を上述(1)の中間ポートＰｍよりも上げることができる（図１４のｂ）。
【０１２４】
(3)ＥＣＵ７０が上述(2)に対し、切換弁６０はオフ作動のまま閉弁し続け、サブ切換弁６２をオフ作動させて開弁することで、車高調整装置４０のジャッキ室４２がダンパチューブ１１の油溜室２６に接続され、ジャッキ室４２の液位、ひいてはプランジャ４３の突出高さを上述(2)で設定された高さから下げ、車高下げ動作する（図１４のｃ）。
【０１２５】
(4)上述(3)の車高下げ動作により、車高調整装置４０のジャッキ室４２の液位が中間ポートＰｍに達した後、車高は中間ポートＰｍが定める前述(1)の中間高さ位置に保持される（図１４のｄ）。
【０１２６】
(5)ＥＣＵ７０が上述(4)に対し、切換弁６０をオン作動させて開弁すると、車高調整装置４０のジャッキ室４２がダンパチューブ１１の油溜室２６に接続され、ジャッキ室４２の液位、ひいてはプランジャ４３の突出高さを上述(4)で設定された高さから下げ、車高下げ動作する（図１４のｅ）。
【０１２７】
（車高調整装置４０の制御回路の変形例３）（図１５）
車高調整装置４０の図１５に示した変形例３の制御回路が図９に示した制御回路と異なる点は、切換弁６０に代わる切換弁６３を用いたことにある。切換弁６３は、４ポート３位置電磁弁からなり、油圧ポンプ５０から吐出される作動油により開弁する吐出用チェック弁５３及び油圧ポンプ５０に吸込まれる作動油により開弁する吸込用チェック弁５４を備える車高上げポジションＰ1と、油圧ポンプ５０をダンパチューブ１１の油溜室２６に連通する通路及び油圧ジャッキ４１のジャッキ室４２を油溜室２６に連通する通路を備える車高下げポジションＰ2と、油圧ポンプ５０を油溜室２６に連通する通路及び油圧ジャッキ４１のジャッキ室４２を油溜室２６に対して遮断する通路を備える車高保持ポジションＰ3のいずれかに、下記(1)〜(3)により選択的に切換制御される。
【０１２８】
(1)ＥＣＵ７０が切換弁６３を車高上げポジションＰ1に設定すると、車高調整装置４０のジャッキ室４２及び油圧ポンプ５０のポンプ室５２がダンパチューブ１１の油溜室２６に対して遮断され、油圧ポンプ５０のポンピング動作により車高上げ動作する。
【０１２９】
(2)ＥＣＵ７０が切換弁６３を車高下げポジションＰ2に設定すると、車高調整装置４０のジャッキ室４２がダンパチューブ１１の油溜室２６に接続され、ジャッキ室４２の液位、ひいてはプランジャ４３の突出高さを下げ、車高下げ動作する。
【０１３０】
(3)ＥＣＵ７０が切換弁６３を車高保持ポジションＰ3に設定すると、車高調整装置４０のジャッキ室４２がダンパチューブ１１の油溜室２６に対して遮断され、油圧ポンプ５０のポンプ室５２がダンパチューブ１１の油溜室２６に接続され、車高は最大突出高さ位置又は中間高さ位置に保持される。
【０１３１】
以上、本発明の実施例を図面により詳述したが、本発明の具体的な構成はこの実施例に限られるものではなく、本発明の要旨を逸脱しない範囲の設計の変更等があっても本発明に含まれる。例えば、切換弁６０は電磁弁に頼らず、回転式、ポペット式等の他の方式の電気操作可能な弁であっても良い。
【産業上の利用可能性】
【０１３２】
本発明は、車体側と車軸側の一方に設けられるダンパチューブと、車体側と車軸側の他方に設けられ、ダンパチューブ内の油室を摺動して該ダンパチューブに対して伸縮するピストンロッドと、ダンパチューブとピストンロッドの一方側に設けられる油圧ジャッキと、油圧ジャッキのジャッキ室に挿入されたプランジャに支持されるばね受と、ダンパチューブとピストンロッドの他方側に設けられるばね受との間に介装される懸架スプリングと、ダンパチューブに対するピストンロッドの伸縮動によりポンピング動作して作動油を吐出し、この作動油を油圧ジャッキのジャッキ室に供給する油圧ポンプとを有し、ダンパチューブに対するピストンロッドの伸縮動により車高を調整する自動二輪車の車高調整装置において、車高を検出する車高検出手段と、油圧ジャッキのジャッキ室と、ダンパチューブ内の油室に連通する油溜室とを切換接続する切換弁と、車高検出手段の検出結果によって切換弁を切換制御し、車高を任意の位置に保持する制御手段とを有する。これにより、自動二輪車の車高調整装置において、車高を任意の中間位置に保持でき、かつ車高を瞬時に切換えできる。
【符号の説明】
【０１３３】
１  自動二輪車
２  車体
３  車軸
１０  リアサスペンション
１０Ａ  ダンパ
１１  ダンパチューブ
１２  ピストンロッド
１３  懸架スプリング
１６  ばね受
２５Ａ、２５Ｂ  油室
２６  油溜室
４０  車高調整装置
４１  油圧ジャッキ
４２  ジャッキ室
４３  プランジャ
５０  油圧ポンプ
６０  切換弁
７０  ＥＣＵ（制御手段）
８０、８０Ｒ  車高検出手段
８１  突出高さ検出手段
８２  油圧検出手段
８３  伸縮ストローク長検出手段
【図１】
2014058260.tif 000003
【図２】
2014058260.tif 000004
【図３】
2014058260.tif 000005
【図４】
2014058260.tif 000006
【図５】
2014058260.tif 000007
【図６】
2014058260.tif 000008
【図７】
2014058260.tif 000009
【図８】
2014058260.tif 000010
【図９】
2014058260.tif 000011
【図１０】
2014058260.tif 000012
【図１１】
2014058260.tif 000013
【図１２】
2014058260.tif 000014
【図１３】
2014058260.tif 000015
【図１４】
2014058260.tif 000016
【図１５】
2014058260.tif 000017